(57)【要約】移動通信端末の発光体の点灯は、ＳＰ−ＭＩＤＩファイルのような音楽データファイルの情報によって制御される。音楽データファイルは、端末に特定の楽器の演奏を通知する音符情報を含む。発光構成メッセージは、ＳＰ−ＭＩＤＩファイルに追加される。発光構成メッセージは、点灯位置、点灯色、点灯輝度を音符情報にマッピングするための情報を含む。移動端末は、発光構成メッセージを作成および変更するためのエディタアプリケーションを有する。発光構成メッセージはまた、ＰＣの発光構成プログラムでも作成および変更することができる。発光構成メッセージは、移動通信端末をエミュレートするためのプラグインアプリケーションを含むＭＩＤＩエディタプログラムを有するＰＣ上で試験することができる。【選択図】図５
2007520127.tif 000002
【特許請求の範囲】
【請求項１】
移動通信端末であって、
前記通信端末を制御するように構成されたプロセッサユニットと、
音楽データを保存した電子メモリであって、前記音楽データは、少なくとも第１および第２のタイプのメッセージを含み、前記第１のタイプのメッセージは、再生する音符のための情報を含み、前記第２のタイプのメッセージは、前記移動通信端末のための他の音楽関連の情報を含む、電子メモリと、
前記第１のタイプのメッセージの前記情報に基づいてオーディオ波形を発生させるように構成された音発生器に接続されるラウドスピーカと、
前記プロセッサによって点灯させることができる複数の発光体とを備え、
前記プロセッサユニットは、前記第１のタイプのメッセージに含まれる前記情報に基づいて前記発光体を点灯させるために、第２のタイプのメッセージの前記情報によって設定される、移動通信端末。
【請求項２】
前記第２のタイプのメッセージは、前記発光体の点灯を前記第１のタイプのメッセージの前記音符にマッピングするためのデータを含む、請求項１に記載の移動通信端末。
【請求項３】
前記第１のタイプのメッセージは、音符オンイベントと音符オフイベントとを含み、前記プロセッサユニットは、１つの発光体または１つの発光体群が１つ以上の音符に同時にマッピングされた時に、最後のイベントを使用するように設定される、請求項２に記載の移動通信端末。
【請求項４】
前記発光体は、前記端末の複数の異なる位置に分散せしめられ、前記第２のタイプのメッセージは、点灯させられる前記発光体の位置を前記第１のタイプのメッセージの前記音符にマッピングするためのデータを含み、前記プロセッサユニットは、前記第２のタイプのメッセージの情報に基づいた位置で発光体を点灯させるように設定される、請求項１乃至３のいずれかに記載の移動通信端末。
【請求項５】
複数の異なる色の発光体を含む請求項１乃至４のいずれかに記載の移動通信端末であって、前記第２のタイプのメッセージは、点灯させられる前記発光体の色を前記第１のタイプのメッセージの前記音符にマッピングするためのデータを含み、前記プロセッサユニットは、前記第２のタイプのメッセージのデータに基づいた色で発光体を点灯させるように設定される、移動通信端末
【請求項６】
前記第２のタイプのメッセージは、点灯させられる前記発光体の輝度または輝度プロファイルを前記第１のタイプのメッセージの情報にマッピングするためのデータを含み、前記プロセッサユニットは、前記第２のタイプのメッセージのマッピングデータに基づいた輝度で発光体を点灯させるように設定される、請求項１乃至５のいずれかに記載の移動通信端末。
【請求項７】
前記第１のタイプのメッセージは、前記音符の速度を含み、点灯させられる前記発光体の輝度は、関連する前記音符の速度にマッピングされる、請求項６に記載の移動通信端末。
【請求項８】
前記第２のタイプのメッセージは、点灯させられる前記発光体の位置を前記第１のタイプのメッセージの前記音符にマッピングするためのデータを含み、前記プロセッサユニットは、前記第２のタイプのメッセージに基づいた位置で発光体を点灯させるように設定される、請求項１乃至７のいずれかに記載の移動通信端末。
【請求項９】
前記第２のタイプのメッセージは、同時に点灯させられる前記発光体群の点灯を前記第１のタイプのメッセージの前記音符情報にマッピングするためのデータを含み、前記プロセッサユニットは、前記第２のタイプのメッセージに基づいて前記発光体群を点灯させるように設定される、請求項１乃至８のいずれかに記載の移動通信端末。
【請求項１０】
点灯させられる発光体群は、認識可能なパターンに配置される複数の発光体を含む、請求項９に記載の移動通信端末。
【請求項１１】
前記音楽データは、多数のチャネルに構成され、前記第１のタイプのメッセージは、前記チャネルのうちの１つに割り当てられ、前記第１のタイプのメッセージは、前記発光体を点灯させるために使用される１つの特定のチャネルに割り当てられる、請求項１乃至１０のいずれかに記載の移動通信端末。
【請求項１２】
前記発光体を点灯させるために使用される前記チャネルに対する音量設定は、専用の発光体点灯チャネルを作成するために、ゼロに設定される、請求項１１に記載の移動通信端末。
【請求項１３】
前記マッピングは、その引数が音符番号を含む関数を備える、請求項１乃至１２のいずれかに記載の移動通信端末。
【請求項１４】
第１のパラメータが前記音符番号に加算または減算され、その結果が前記関数の第２のパラメータで整数除算又は／及びモジュロ除算される、請求項１３に記載の移動通信端末。
【請求項１５】
前記関数は、利用可能な音符の数を利用可能な発光位置の数に減じる、請求項１３または１４に記載の移動通信端末。
【請求項１６】
前記関数は、利用可能な音符の数を利用可能な発光色の数に減じる、請求項１３乃至１５のいずれかに記載の移動通信端末。
【請求項１７】
前記マッピングはランダム関数を備える、請求項１３乃至１６のいずれかに記載の移動通信端末。
【請求項１８】
前記マッピングは、ルックアップテーブルを含む、請求項１乃至１７のいずれかに記載の移動通信端末。
【請求項１９】
請求項１乃至１８のいずれかに記載の移動端末であって、前記端末は、バイブレータ、フラッシュ光、および／またはカメラ用フラッシュを備え、前記プロセッサは、前記第１のタイプのメッセージに含まれる情報に基づいて前記バイブレータ、フラッシュ光、および／またはカメラ用フラッシュを作動させるために、前記第２のタイプのメッセージによって設定される、移動端末。
【請求項２０】
ユーザーが前記第２のタイプのメッセージを作成および／または編集できるようにする、エディタアプリケーションをさらに含む、請求項１乃至１９のいずれかに記載の移動通信端末。
【請求項２１】
前記エディタアプリケーションは、前記ユーザーが、使用するチャネルを選択すること、作動させるパターンを選択すること、および／またはその機能を変更することを可能にする、請求項２０に記載の移動通信端末。
【請求項２２】
請求項２０または２１に記載の移動通信端末であって、前記端末は、異なる発光範囲を含み、前記エディタアプリケーションは、前記ユーザーが、前記範囲を選択することを可能にする、移動通信端末。
【請求項２３】
前記エディタアプリケーションは、前記ユーザーが、輝度を、前記速度、所与の固定パラメータ、または乱数にマッピングすることを可能にする、請求項２０乃至２２のいずれかに記載の移動通信端末。
【請求項２４】
前記エディタアプリケーションは、前記ユーザーが、前記第１のタイプのメッセージに含まれる音楽データを編集して、音符および音符に関連する情報を追加、削除、または変更することを可能にする、請求項２０乃至２３のいずれかに記載の移動端末。
【請求項２５】
前記音楽データは、ＭＩＤＩシーケンスまたはファイルであり、好ましくはＳＰ−ＭＩＤＩフォーマットである、請求項１乃至２４のいずれかに記載の移動端末。
【請求項２６】
前記第２のタイプのメッセージはシステム専用メッセージであり、前記第１のタイプのメッセージはチャネル音声メッセージであり、好ましくは音符オンおよび音符オフメッセージである、請求項２５に記載の移動端末。
【請求項２７】
少なくとも第１および第２のタイプのメッセージを含む音楽データから音楽を再生するように構成された移動通信端末の発光体の点灯を制御する方法であって、前記第１のタイプのメッセージは再生する音符のための情報を含み、前記第２のタイプのメッセージは前記音楽の再生に使用する機器のための他の情報を含み、前記方法は、前記発光体の点灯を前記第１のタイプのメッセージに含まれる前記音符情報にマッピングするためのデータを、前記第２のタイプのメッセージに配置するステップを含む、方法。
【請求項２８】
点灯させられる前記発光体の位置をマッピングするためのデータが前記第２のタイプのメッセージに配置せしめられる、請求項２７に記載の方法。
【請求項２９】
点灯させられる前記発光体の色をマッピングするためのデータが前記第２のタイプのメッセージに配置せしめられる、請求項２７または２８に記載の方法。
【請求項３０】
点灯させられる前記発光体の輝度をマッピングするためのデータが前記第２のタイプのメッセージに配置せしめられる、請求項２７乃至２９のいずれかに記載の方法。
【請求項３１】
点灯させられる発光体群、好ましくは認識可能なパターンに構成された発光体群の同時点灯をマッピングするためのデータが、前記第２のタイプのメッセージに配置せしめられる、請求項２７乃至３０のいずれかに記載の方法。
【請求項３２】
自身の引数が音符番号を含む関数が前記第２のタイプのメッセージに配置せしめられる、請求項２７乃至３１のいずれかに記載の方法。
【請求項３３】
前記音符番号に第１のパラメータを加算または減算するステップと、その結果を第２のパラメータで整数除算および／またはモジュロ除算するステップとを含む、請求項３２に記載の方法。
【請求項３４】
前記関数は、利用可能な音符の数を利用可能な発光位置の数に減じる、請求項３２または３３に記載の方法。
【請求項３５】
前記関数は、利用可能な音符の数を利用可能な発光色の数に減じる、請求項３２乃至３４のいずれかに記載の方法。
【請求項３６】
前記マッピングにランダムな関数を適用するステップをさらに含む、請求項３２乃至３５のいずれかに記載の方法。
【請求項３７】
前記マッピングにルックアップテーブルを使用するステップをさらに含む、請求項２７乃至３１のいずれかに記載の方法。
【請求項３８】
前記音楽データは、ＭＩＤＩシーケンスまたはファイルであり、好ましくはＳＰ−ＭＩＤＩフォーマットである、請求項２７乃至３７のいずれかに記載の方法。
【請求項３９】
前記第２のタイプのメッセージは、システム専用メッセージである、請求項３８に記載の方法。
【請求項４０】
１つ以上の第２のタイプのメッセージは、前記マッピングを初期化するために、前記音楽データのファイルまたはシーケンスの最初に配置される、請求項２７乃至３９のいずれかに記載の方法。
【請求項４１】
更なる第２のタイプのメッセージは、前記マッピングを変更するための前記音楽データのファイルまたはシーケンスの後方に配置され、前記第２のタイプのメッセージは、好ましくは１つのトラック内に全て配置される、請求項４０に記載の方法。
【請求項４２】
コンピュータ端末であって、
前記端末を制御するプロセッサユニットと、
キーボードおよびディスプレイを含むユーザーインターフェースと、
音楽データを保存した電子メモリであって、前記音楽データは、少なくとも第１および第２のタイプのメッセージを含み、前記第１のタイプのメッセージは再生する音符のための情報を含み、前記第２のタイプのメッセージは移動通信端末上の発光体の点灯を前記第１のタイプのメッセージの音符情報にマッピングするための情報を含む、電子メモリと、
前記音楽データに基づいてオーディオ波形を発生させることができる音発生器に増幅器を介して接続されるラウドスピーカと、
前記第２のタイプのメッセージを作成および／または変更するためのアプリケーションとを備える、コンピュータ端末。
【請求項４３】
前記アプリケーションは、前記コンピュータ端末のディスプレイ上で移動端末の前記発光体の点灯をエミュレートするように構成される、請求項４２に記載のコンピュータ端末。
【請求項４４】
前記アプリケーションは、前記コンピュータ端末に接続された前記移動通信端末の前記発光体を制御して前記移動通信端末上で前記発光体の点灯を直接試験できるように構成される、請求項４２に記載のコンピュータ端末。
【請求項４５】
移動通信端末上で使用するための音楽データシーケンスまたはファイルであって、前記音楽データファイルは少なくとも、
音符情報を有する第１のタイプのメッセージと、
前記移動通信端末の前記発光体の点灯を前記第１のタイプのメッセージに含まれる前記音符情報にマッピングするための第２のタイプのメッセージとを含む、音楽データシーケンスまたはファイル。
【請求項４６】
前記第１のタイプのメッセージは、前記発光体の点灯を音符オンコマンドにマッピングするための情報と、前記発光体の消灯を音符オフコマンドにマッピングするための情報とを含む、請求項４５に記載の音楽データシーケンスまたはファイル。
【請求項４７】
前記第１のタイプのメッセージは、音符オンコマンドに関連する速度情報を有し、前記第２のタイプのメッセージは、点灯させられる発光体の輝度を前記速度情報にマッピングするための情報を有する、請求項４５または４６に記載の音楽データシーケンスまたはファイル。
【請求項４８】
前記第１のタイプのメッセージは、音符オンまたは音符オフコマンドに関連する音符番号を有し、前記第２のタイプのメッセージは、自身の引数が前記音符番号を含む関数を有する、請求項４５乃至４７に記載の音楽データシーケンスまたはファイル。
【請求項４９】
前記関数は、音符数の範囲を前記移動通信端末上の前記発光位置の範囲に減じる、請求項４８に記載の音楽データシーケンスまたはファイル。
【請求項５０】
前記関数は、音符数の範囲を前記移動通信端末上の発光色の範囲に減じる、請求項４９に記載の音楽データシーケンスまたはファイル。
【請求項５１】
請求項４５乃至５０に記載の音楽データシーケンスまたはファイルであって、前記ミュージックデータあるいはシーケンスがＭＩＤＩフォーマット、好ましくはＳＰ−ＭＩＤＩフォーマットである、音楽データシーケンスまたはファイル。
【請求項５２】
前記第２のタイプのメッセージは、システム専用メッセージである、請求項５１に記載の音楽データシーケンスまたはファイル。
【請求項５３】
コンピュータ用媒体に保存される、請求項４５乃至５２に記載の音楽データシーケンスまたはファイル。
【発明の詳細な説明】
【技術分野】
【０００１】
本発明は、音楽データから音楽を再生でき、複数の発光体を備える移動通信端末に関する。特に、本発明は、前記音楽データの情報を用いた発光体の点灯の制御に関する。
【背景技術】
【０００２】
国際特許ＷＯ０３／０７７５０５では、複数の発光体を備えた移動通信端末および発光体の点灯を制御する方法について開示している。着信音などからの音声信号は、電話器が光オルガンのように作動するように、その信号をフィルタ処理して発光体の点灯を制御する信号処理器に送られる。
【０００３】
ミュージカルインストゥルメントデジタルインターフェース（ＭＩＤＩ）は、デジタル音楽機器間の通信のための音楽データに対する国際的に認められた規格である。ＭＩＤＩによって、様々な種類の音によるポリフォニックな作曲が可能になる。これは、ピアノ、ギター、バイオリン、ドラムなどの再定義された楽器の音を使用して、複数のトーンを同時に再生できることを意味する。ＭＩＤＩ機器間で送信される情報は、ピッチおよび音量などの異なる音の様子を８ビットのデジタル情報に符号化する、ＭＩＤＩメッセージの形態である。ＭＩＤＩ機器は、音楽の作成、録音、および再生に使用することができ、ＭＩＤＩファイル（複数のＭＩＤＩメッセージ）として保存される。ＭＩＤＩ規格を使用することで、コンピュータ、シンセサイザ内のサウンドカード、およびシーケンスは、互いに通信することができ、音楽の調子を合わせるか、あるいは他の接続された装置で作成した音楽を実際に制御する。ＭＩＤＩシーケンスにおけるメッセージタイプは、チャネルメッセージおよびシステムメッセージに分類することができる。チャネルメッセージは特定のチャネルに適用され、チャネル番号はこれらのメッセージのための状態バイトに含まれる。システムメッセージはチャネル特有のものではなく、それらの状態バイトにチャネル番号は表示されない。
【０００４】
チャネルメッセージは、チャネル音声メッセージあるいはモードメッセージにさらに分類することが可能である。チャネル音声メッセージは、演奏データを搬送し、これらのメッセージは、ＭＩＤＩデータストリーム内の大部分のトラフィックを含む。チャネルモードメッセージは、受信楽器がチャネル音声メッセージに応答する方法に影響を及ぼす。
【０００５】
チャネル音声メッセージは演奏情報の送信に使用される。このカテゴリのメッセージには、音符オン、音符オフ、ポリフォニックキープレッシャ、チャネルプレッシャ、ピッチベンドチェンジ、およびコントロールチェンジメッセージがある。
【０００６】
ＳＰ−ＭＩＤＩファイルなどからのポリフォニックな着信音の再生が可能なシンセサイザを有する移動通信端末の出現によって、端末の音質が急速に向上した。スケーラブルポリフォニーＭＩＤＩ（ＳＰ−ＭＩＤＩ）は、ＭＩＤＩフォーマットの最近の機能強化であり、特に移動端末に好適である。ＳＰ−ＭＩＤＩ機能は、ＭＩＰ（Ｍａｘｉｍｕｍ  Ｉｎｓｔａｎｔａｎｅｏｕｓ  Ｐｏｌｙｐｈｏｎｙ）と呼ばれる新しいＭＩＤＩメッセージを使用して実行される。ＭＩＰメッセージは、所望のポリフォニーレベルに基づくＳＰ−ＭＩＤＩコンテンツの音楽的アレンジを定義したものである。
【０００７】
欧州特許ＥＰ１２５５４１８では、ＭＩＤＩファイルから着信音を再生することができる移動通信端末を開示している。該移動端末はまた、プロセッサによって点灯することができる複数の発光体も備える。本明細は、ＭＩＤＩファイルにおける発光体の点灯の制御を提案する。本願明細書において、発光体は、各発光体を異なるトーンとみなす楽器として使用される。しかし、これらの規格に現在定義されているどの楽器（タンブルまたはパッチとも称する）も発光体ではないので、ＭＩＤＩ規格、特にＳＰ−ＭＩＤＩ規格の変更が必要となる。この規格の変更には、異なる技術分野の多くの団体が関与する複雑な手順があり、非常に長い時間を要するか、あるいは不可能である。さらに、端末のモデルが異なれば発光体の配置も多様になる可能性があり、より一様な様式の発光体を備えた端末が必要になるので、発光体を楽器として規格に定義する場合の取り扱いが困難になる。
【特許文献１】国際公開公報ＷＯ０３／０７７５０５
【特許文献２】欧州特許公開公報ＥＰ１２５５４１８
【発明の開示】
【０００８】
この背景に関して、本発明は、汎用的な様式の音楽データファイルの情報から発光体の点灯を制御できる移動通信端末の提供を目的とする。
【０００９】
本目的は、移動通信端末であって、前記通信端末を制御するように構成されたプロセッサユニットと、音楽データを保存した電子メモリであって、前記音楽データは、少なくとも第１および第２のタイプのメッセージを含み、前記第１のタイプのメッセージは、再生する音符のための情報を含み、前記第２のタイプのメッセージは、前記移動通信端末のための他の音楽関連の情報を含む、電子メモリと、前記第１のタイプのメッセージの前記情報に基づいてオーディオ波形を発生させるように構成された音発生器に接続されるラウドスピーカと、前記プロセッサによって点灯させることができる複数の発光体とを含み、前記プロセッサユニットは、前記第１のタイプのメッセージに含まれる前記情報に基づいて前記発光体を点灯させるために、第２のタイプのメッセージの前記情報によって設定される、移動通信端末によって達成される。
【００１０】
前記発光体の点灯を前記第１のタイプのメッセージにマッピングするための前記第２のタイプのメッセージを用いることで、音楽データ規格において前記発光体を新しい楽器として定義することを必要とせず、前記発光体を汎用的な方法で点灯することが可能になる。特定のタイプの端末の音楽ファイルを指定することによって、端末モデル間の発光体のアレンジの差異は、異なるマッピング情報を有する前記第２のタイプのメッセージを有する音楽ファイルによって処理することができる。
【００１１】
マッピング情報は、発光体の位置、色、および輝度に関連付けることが可能である。認識可能パターンは、音符の再生にマッピングすることが可能である。
【００１２】
前記マッピングは、前記第１のタイプのメッセージに含まれる音符オンおよび音符オフコマンドに対して直接行われることが好ましい。輝度または輝度プロファイルは、前記第１のタイプのメッセージの速度情報にマッピングされることが好ましい。
【００１３】
１つの特定のチャネルに割り当てられた前記第１のタイプのメッセージは、前記発光体の点灯に使用されることが好ましい。このチャネルのメッセージの中で音符に割り当てられるグランドピアノなどの楽器については、音楽そのものに影響を与えることなく発光体を制御できるように、再生される音楽のアクティブな部分とすること、またはこのチャネルの音量をゼロに設定することができる。
【００１４】
前記マッピングは、自身の引数が音符番号を含む関数によって行われることが好ましい。第１のパラメータが前記音符番号に加算または減算され、その結果が前記関数の第２のパラメータで整数除算又は／及びモジュロ除算されうる。第２のパラメータは、端末のモデル、発光体の位置の数、および／または発光体の色の数に依存してもよい。
【００１５】
前記関数は、利用可能な音符の数を利用可能な発光位置の数および利用可能な発行色の数に減じることが好ましい。
【００１６】
前記マッピングは、ランダムな関数を含むことが可能である。
【００１７】
前記マッピングには、ルックアップテーブルを使用することも可能である。
【００１８】
前記端末は、バイブレータ、フラッシュ光、および／またはカメラ用フラッシュを含むことが可能であり、前記プロセッサは、前記第１のタイプのメッセージに含まれる情報に基づいて、前記バイブレータ、フラッシュ光、および／またはカメラ用フラッシュを作動させるために、第２のタイプのメッセージによって設定されることが可能である。
【００１９】
前記移動通信端末は、ユーザーが前記第２のタイプのメッセージを作成および／または編集することを可能にする、エディタアプリケーションをさらに含むことが可能である。前記エディタアプリケーションは、ユーザーが、使用するチャネルを選択すること、作動させるパターンを選択すること、および／またはその機能を変更することを可能にし得る。
【００２０】
前記端末は、前面および背面などの異なる発光範囲を含み、前記エディタアプリケーションは、ユーザーが前記範囲を選択することを可能にする。前記エディタアプリケーションは、ユーザーが、輝度を、前記速度、所与の固定パラメータ、または乱数にマッピングすることを可能にする。
【００２１】
前記音楽データは、ＭＩＤＩシーケンスまたはファイルであり、好ましくはＳＰ−ＭＩＤＩフォーマットとすることができる。この場合、前記第２のタイプのメッセージは、システム専用メッセージであることが好ましく、一方で、前記第１のタイプのメッセージは、音符イベントであることが好ましい。
【００２２】
本発明の別の目的は、音楽データの情報から移動通信端末の発光体の点灯を制御するための汎用的な方法を提供することである。
【００２３】
この目的は、少なくとも第１および第２のタイプのメッセージを含む音楽データから音楽を再生するように構成された移動通信端末の発光体の点灯を制御する方法であって、前記第１のタイプのメッセージは、再生する音符のための情報を含み、前記第２のタイプのメッセージは、前記音楽の再生に使用する機器のための他の情報を含み、前記方法は、前記発光体の点灯を前記第１のタイプのメッセージに含まれる前記音符情報にマッピングするためのデータを、前記第２のタイプのメッセージに配置するステップを含む、方法によって達成される。
【００２４】
この方法は、発光体を楽器として定義する必要がなく、したがって、現在の音楽データにおける規格を変更する必要がなくなる。さらに、発光体の点灯が音符により制御されるため、音声信号のフィルタ処理に基づいた光オルガンの制御よりもはるかに正確である。
【００２５】
点灯させられる前記発光体の位置をマッピングするためのデータは、前記第２のタイプのメッセージに配置することができる。点灯させられる前記発光体の色をマッピングするためのデータも、前記第２のタイプのメッセージに配置することができる。点灯させられる前記発光体の輝度をマッピングするためのデータも、前記第２のタイプのメッセージに配置することができる。
【００２６】
自身の引数が音符番号を含む関数は、前記第２のタイプのメッセージに配置することができる。この関数は、音符番号に第１のパラメータを加算または減算し、その結果を第２のパラメータで整数除算および／またはモジュロ除算する関数であることが好ましい。この関数は、利用可能な音符の数を利用可能な発光位置の数および利用可能な発行色の数に減じることが好ましい。関数全体にランダムな関数を適用することができる。
【００２７】
前記音楽データは、ＭＩＤＩシーケンスまたはファイルであり、好ましくはＳＰ−ＭＩＤＩフォーマットとすることができる。前記音楽データがＭＩＤＩフォーマットである場合、前記第２のタイプのメッセージをシステム専用メッセージとすることができ、一方で、前記第１のタイプのメッセージは、音符イベントであることが好ましい。
【００２８】
１つ以上の第２のタイプのメッセージは、前記マッピングを初期化するために音楽データのファイルまたはシーケンスの最初に配置することができる。さらに、第２のタイプのメッセージは、前記マッピングを変更するための前記音楽データのファイルまたはシーケンスの後方に配置し、前記第２のタイプのメッセージは、好ましくは１つのトラック内に全て配置することができる。
【００２９】
本発明は、移動通信端末の発光体の点灯を制御するための情報を含む音楽データファイルを作成および／または変更するように構成される、コンピュータ端末を提供することを更なる目的とする。
【００３０】
本目的は、コンピュータ端末であって、前記端末を制御するプロセッサユニットと、
キーボードおよびディスプレイを含むユーザーインターフェースと、音楽データを保存した電子メモリであって、前記音楽データは、少なくとも第１および第２のタイプのメッセージを含み、前記第１のタイプのメッセージは、再生する音符のための情報を含み、前記第２のタイプのメッセージは、移動通信端末上の発光体の点灯を前記第１のタイプのメッセージの音符情報にマッピングするための情報を含む、電子メモリと、
前記音楽データに基づいてオーディオ波形を発生させることができる音発生器に増幅器を介して接続されるラウドスピーカと、前記第２のタイプのメッセージを作成および／または変更するためのアプリケーションとを含む、コンピュータ端末によって達成される。
【００３１】
したがって、移動通信端末の発光体の点灯のためのマッピング情報を含む第２のタイプのメッセージを含む音楽データファイルは、ＰＣのようなコンピュータ端末上で作成および／または変更することができ、その後、移動通信端末にダウンロードすることができる。
【００３２】
前記アプリケーションは、前記コンピュータ端末のディスプレイ上で移動端末の前記発光体の点灯をエミュレートするように構成することができる。これによって、前記音楽データファイルは、試験のための各変更の後に、前記端末にダウンロードする必要なく、音および発光の両方の効果を前記端末上で試験することができる。
【００３３】
前記アプリケーションは、前記コンピュータ端末に接続された移動通信端末の発光体を制御して前記移動通信端末上で前記発光体の点灯を直接試験できるように構成することができる。
【００３４】
本発明は、前記端末の発光体の点灯をより汎用的に制御できるようにする、移動通信端末上で使用するための音楽データシーケンスまたはファイルを提供することを更なる目的とする。
【００３５】
本目的は、移動通信端末上で使用するための音楽データシーケンスまたはファイルであって、前記音楽データファイルは少なくとも、音符情報を有する第１のタイプのメッセージと、前記移動通信端末の前記発光体の点灯を前記第１のタイプのメッセージに含まれる前記音符情報にマッピングするための第２のタイプのメッセージとを含む、音楽データシーケンスまたはファイルによって達成される。
【００３６】
前記第１のタイプのメッセージは、音符オンまたは音符オフコマンドを含むことが好ましく、前記第２のタイプのメッセージは、前記発光体の点灯を前記音符オンコマンドにマッピングするための情報、および前記発光体の消灯を音符オフコマンドにマッピングするための情報を含むことが好ましい。
【００３７】
前記第１のタイプのメッセージは、音符オンコマンドに関連する速度情報を含むことが好ましく、前記第２のタイプのメッセージは、点灯させられる発光体の輝度を前記速度情報にマッピングするための情報を含むことが好ましい。
【００３８】
前記第１のタイプのメッセージは、音符オンまたは音符オフコマンドに関連する音符番号を含むことが好ましく、前記第２のタイプのメッセージは、自身の引数が前記音符番号を含む関数を含むことが好ましい。前記関数は、音符数の範囲を前記移動通信端末上の前記発光位置の範囲に減じることが好ましい。前記関数は、音符数の範囲を前記移動通信端末上の発光色の範囲に減じることが好ましい。
【００３９】
前記音楽データファイルまたはシーケンスは、ＭＩＤＩフォーマット、好ましくＳＰ−ＭＩＤＩフォーマットであり、前記第２のタイプのメッセージは、システム専用メッセージであることが好ましい。
【００４０】
本発明による前記移動通信端末、移動通信端末の発光体の点灯を制御する方法、コンピュータ端末、および音楽データファイルまたはシーケンスの更なる目的、機能、利点、および特性は、以下の詳細な説明によって明らかになろう。
【発明を実施するための最良の形態】
【００４１】
本明細書の以下の詳細部分において、図面に示される例示的な実施態様を参照して、本発明をさらに詳細に説明する。
【００４２】
以下に、ハンディフォン、好ましくは携帯／モバイル電話の形態の本発明による移動通信端末を、好適な実施態様によって詳細に説明する。
【００４３】
図１は、本発明による携帯電話１の好適な実施態様を示す。携帯電話１は、キーパッド２を有するユーザーインターフェース、ディスプレイ３、オン／オフボタン（電話器の上部にある）、スピーカ５、およびマイクロホン６（開いたときにのみ電話器の下部に現れる）を備える。好適な実施態様による携帯電話１は、ＧＳＭ  ９００／１８００ＭＨｚネットワークのような携帯電話ネットワークを経て通信するように構成されているが、符号分割多重アクセス方式（ＣＤＭＡ）ネットワークまたはＧ３ネットワークとともに使用するように構成されているにすぎない。
【００４４】
好適な実施態様によれば、キーパッド２は、第１のグループとして英数字キー９、２つのソフトキー１０、カーソルナビゲーションキー１１（スクロールアップ／ダウン）、およびオンフック／オフフックキー１２を備える。ソフトキー１０の現在の機能２２は、該ソフトキーの真上のディスプレイ３に別々のフィールド２１（ソフトキーラベル）に示される。ソフトキー１０は多機能キーであり、それらの現在の機能は、携帯電話１の状態に依存する。ソフトキー１０によって、メニューにアクセスすることができ、電話帳および通話機能は、通話処理およびメッセージ処理に関連する動作を起動することができる。着脱可能なバッテリパック（図示せず）は、携帯電話１の着脱可能なリヤカバー下のくぼみに装着する。
【００４５】
携帯電話１は、フロントカバー１４の周辺領域内の透明な部品の下に配置された複数の発光体７．１乃至７．６を備える。発光体７．１乃至７．６は、３種類の異なる色（赤色、緑色、および黄色）、および１２７種類の異なる輝度で点灯させることができるＬＥＤである。異なる色は、２種類の有色のＬＥＤを同時に点灯させるか、または複数の内部ＬＥＤ（例、赤色、緑色、青色）を備えたＬＥＤによって発生させることができる。さらに、着脱可能に取り付けられたフロントカバーを取り除き、該発光体をその上に備える携帯電話の内部ハウジング１５を見えるようにした図２に示されるように、キー９、１０、１１、および１２は、ＬＥＤ（またはエレクトロルミネセンスホイルでも可能）で形成したバックライト４によって個々に照らされる。発光体４も、３種類の異なる色（赤色、緑色、および黄色）、および１２７種類の異なる輝度で点灯させることができる。最大３つの色を、ＲＧＢ−ＬＥＤで同時に点灯することができる。
【００４６】
ディスプレイ３は、１２７種類の異なる輝度で点灯させることができるバックライト８を備えたＬＣＤカラーディスプレイである。ディスプレイのバックライトは、実質的に白色光だけを発生させる。
【００４７】
フラッシュ光は、電話器の上部（図示せず）に配置され、１色および１種類の輝度（オンかオフ）で点灯させることができる。
【００４８】
図３は、着脱可能に取り付けられたリヤカバー１５を備えた電話器の背面を示す。リヤカバー１５は、電話器の前面、側面、および背面に見られる発光体７．１乃至７．６のための透明な部品を備える。リヤカバー１５は、デジタルカメラのレンズ１６のための開口部、および、カメラ用フラッシュ１７のための開口部を備える。カメラ１６は、フラッシュを備えたデジタルカメラである。カメラ１６自体は、本発明に関連していないため、詳述しない。
【００４９】
図４は、携帯電話１の好適な実施態様の最も重要な構成要素を概略的に示したものである。
【００５０】
移動局は、移動局全体のオペレーションに関与するプロセッサユニット１０１を含む。プロセッサユニット１０１は、機能を制御および監視するマイクロプロセッサを備える。移動局は、メモリ１６０、キーパッド２、および、特定の機器およびアプリケーションに依存するデータインターフェース１７０をさらに含む。
【００５１】
移動局から送信されるメッセージは、プロセッサユニット１０１で構成され、メッセージはそこから送信部ＴＸ  １４３に送られ、次いでフィルタまたはスイッチであってよいデュプレクサ１４１を経て内部アンテナ１４０にさらに送信される。マイク１４７によって受信される音声は、音声符号器１４６を経てプロセッサユニット１０１に送られることができる。アンテナ１４０によって受信されるメッセージは、デュプレクサ１４１を経て受信部１４２に送られ、メッセージの種類に応じてそこからさらに取り出される。受信メッセージは、制御ユニット１０１を経てメッセージ処理ユニットまたは音声復号器１４４に送られ、次いでラウドスピーカ１４５に送られる。
【００５２】
復号器１１５は、音楽データを復号化して、関連する情報を発光体コントローラ１０２および発光構成データベース１０６、バイブレータコントローラ１２０、バイブレーション構成データベース１２２、およびＭＩＤＩプレーヤ１３４に渡す。
【００５３】
発光体コントローラ１０２は、発光体４、７．１乃至７．６、および８を点灯させる。図４では、３つの発光体が概略的に示されているが、実際には、発光体コントローラは、図１乃至３を参照して上述した全ての発光体を制御する。
【００５４】
ＭＩＤＩプレーヤ１３４は、シンセサイザ１３０、および楽器のデジタル化サンプルなどの音声サンプルを含むウェーブテーブル１３２を備える。シンセサイザは、復号器１１０から受信したメッセージに基づいてウェーブテーブルから音声サンプルを取り込み、デジタル音声サンプルをアナログ音声信号に変換する。既存の楽器の音は、サンプリングされ、ウェーブテーブルに保存される。ウェーブテーブルは、これらの小サンプルの集まりである。サンプルをループ内で繰り返し再生することによって、原音が模倣される。シンセサイザ１３０は、再生されるアナログ信号を増幅器（図示せず）を経てラウドスピーカ１４５に送信する。
【００５５】
データは、プロセッサユニット１０１またはグラフィックオブジェクトメモリ１１２からディスプレイ制御ユニット１１０に入力される。ディスプレイ制御器１１０は、さらにユーザーに表示するためのディスプレイ１１１にデータを送る。制御ユニット１０１はまた、グラフィックオブジェクトメモリ１１２とも直接接続されるが、これは、該制御ユニットがメモリ内のグラフィックオブジェクトを、例えば変更、削除、または追加することによって、処理できることを意味する。
【００５６】
着信音および他の音楽データファイルは、メモリ１６０に保存される。音楽データは、ＯＭＩとするか、またはＧＰＲＳまたはＷＡＰを経てダウンロードすることができる。着信音のための音楽データは、ＭＩＤＩフォーマットでファイルに保存される。携帯電話に使用されるＭＩＤＩフォーマットは、スケーラブルポリフォニーＭＩＤＩ（ＳＰ−ＭＩＤＩ）である。ＳＰ−ＭＩＤＩのコンテンツは、以下のＳＰ−ＭＩＤＩ仕様に基づく標準ＭＩＤＩファイル（ＳＭＦ）に対応している。「Ｓｃａｌａｂｌｅ  Ｐｏｌｙｐｈｏｎｙ  ＭＩＤＩ  Ｓｐｅｃｉｆｉｃａｔｉｏｎ．  Ｖｅｒｓｉｏｎ  １．０、ＲＰ−０３４、２００２年２月、Ｔｈｅ  ＭＩＤＩ  Ｍａｎｕｆａｃｔｕｒｅｒｓ  Ａｓｓｏｃｉａｔｉｏｎ、Ｌｏｓ  Ａｎｇｅｌｓ、ＣＡ、ＵＳＡ」およびプロファイル仕様「Ｓｃａｌａｂｌｅ  Ｐｏｌｙｐｈｏｎｙ  ＭＩＤＩ  Ｄｅｖｉｃｅ  ５−２４  Ｎｏｔｅ  Ｐｒｏｆｉｌｅ  ｆｏｒ  ３ＧＰＰ．  ２００１年１２月、Ｒ−０３５、Ｔｈｅ  ＭＩＤＩ  Ｍａｎｕｆａｃｔｕｒｅｒｓ  Ａｓｓｏｃｉａｔｉｏｎ、Ｌｏｓ  Ａｎｇｅｌｓ、ＣＡ、ＵＳＡ」（ポリフォニーレベル４にて）。
【００５７】
音楽データはＭＩＤＩメッセージとして構成され、１つのＭＩＤＩコマンドまたはイベントを含む。ＭＩＤＩファイルは、タイミング情報とともに異なるタイプのＭＩＤＩメッセージのシーケンスを含む。本願明細書において音符イベントと称される、音符オン、音符オフ、全音符オフ、全コントローラリセット、および全音声オフのような第１のタイプのメッセージは、１６チャネル識別子で符号化される。音符メッセージは、Ｃ−２（すなわち、中間のｃ以下の５オクターブ；ＭＩＤＩ音符０に指定される）からｇ８（すなわち、中間のｃより上のｇの上の５オクターブ；ＭＩＤＩ音符１２７に指定される）までのいずれかで表すことができ、該音符メッセージは、再生される楽器の情報を含む。音符オンおよび音符オフメッセージは、通常は順々に配置され、送信される１バイト、２バイト、または３バイトのデータである。
【００５８】
音符オンコマンドは、３つのバイトを含み、その第１のバイトは状態バイトである。このバイトは、シンセサイザに音符を再生するよう命令し、チャネル番号を指定する。チャネル番号は、通常再生される音声のタイプ、すなわち、使用されるシンセサイザの楽器に関連付けられる。第２のバイトは、再生される音符を指定し、第３のバイトは音符の速度値を指定する。
【００５９】
第２のタイプのメッセージ、システム専用メッセージ（ＳｙｓＥｘメッセージ）は、パッチパラメータ、サンプラデータ、またはシーケンサメモリのバルクダンプのようなデータの送信に使用される。ＳｙｓＥｘメッセージは常に汎用ではなく、それらが汎用でない場合は、音楽を再生するシンセサイザーのタイプに適切なフォーマットとされる。非互換のＳｙｓＥｘメッセージによる競合を避けるために、ＭＩＤＩ製造者協会（ＭＭＡ）または日本ＭＩＤＩ規格協議会（ＪＭＳＣ）によって、特定のＩＤ番号が、ＭＩＤＩ楽器の製造業者に付与される。
【００６０】
ＳＰ−ＭＩＤＩファイルは、ＭＩＰ（Ｍａｘｉｍｕｍ  Ｉｎｓｔａｎｔａｎｅｏｕｓ  Ｐｏｌｙｐｈｏｎｙ）メッセージを含む。ＭＩＰメッセージは、所望のポリフォニーレベルに基づいたＳＰ−ＭＩＤＩコンテンツの音楽的アレンジの定義に使用され、それによってＭＩＤＩチャネルは、チャネルの優先度に基づいて命令され、ポリフォニーレベルは、優先度の最も高いチャネルから開始する累積的な再生要件として定義される。対応するポリフォニーレベルはまた、ＭＩＰメッセージにも含まれる。
【００６１】
本発明の好適な実施態様によれば、ＳＰ−ＭＩＤＩファイルは、発光体の点灯を第１のタイプのメッセージの音符にマッピングするためのデータを有する少なくとも１つのシステム専用メッセージを含む、ＭＩＤＩメッセージのシーケンスを備える。発光体の点灯をマッピングするためのデータを含むこれらのシステム専用メッセージを、以下、発光構成メッセージと称する。ＭＩＤＩファイルは、バイブレーションユニット１２１の作動を第１のタイプのメッセージの音符にマッピングするためのデータを含む、システム専用メッセージをさらに含むことが可能である。これらのタイプのメッセージを、以下、バイブレーション構成メッセージと称する。
【００６２】
発光および／またはバイブレーションユニットのマッピングは、後の段階での更なる発光／バイブレーション構成メッセージをシーケンス内に配置することによって、曲の間に変更することが可能である。
【００６３】
図５は、本発明の一実施態様によるＳＰ−ＭＩＤＩシーケンス１５０の一部を概略的に示す。シーケンスは、プロセッサユニット１０１によってメモリ１６０から取り出されている。プロセッサユニットは、シーケンスを復号器に渡す。シーケンスは、発光構成メッセージ１５２および音符イベント（音符オンまたは音符オフメッセージ）１５３を含む。
【００６４】
復号器１１５は、タイミングおよび復号化を扱い、音符イベント１５３を接続１５５を経てリアルタイムでＭＩＤＩプレーヤ１３４および発光体コントローラ１０７の両方に送信する。復号器１１５は、発光構成メッセージ１５２を接続１５４を経て発光構成データベース１０６に送信する。発光体コントローラ１０７が音符イベントを受信すると、発光構成データベース１０６は、発光構成メッセージを収集し、この音符とチャネルとの組み合わせに属する構成情報のための発光構成データベースを検索し、指定先、色、および輝度情報を計算し、対応する発光体の点灯または消灯を行う。
【００６５】
復号器１１５はまた、バイブレーション制御器１２０およびバイブレーション構成データベース１２２にも接続され、発光体コントローラ１０７を参照して説明したように、バイブレーション制御器１２０において同じプロシージャが行われる。
【００６６】
本発明の好適な実施態様によれば、発光構成メッセージ１５２は、点灯させられる発光体の位置を音符イベント１５３の音符にマッピングするためのデータを含む。この実施態様による発光構成メッセージは、点灯させられる発光体の色を音符イベント１５３の音符にマッピングするためのデータをさらに含む。点灯させられる発光体の輝度または輝度プロファイルは、第１のタイプのメッセージの速度情報にマッピングされる。発光構成メッセージはまた、発光体群の同時の点灯または消灯を音符イベントの音符情報にマッピングするための情報も含む。これらの発光体群は、水平線、垂直線、同心リングなどのような認識可能パターンに配置されることが好ましい。第２のタイプのメッセージは、特定のチャネルの音符イベントへのマッピングを制限する情報を含むことができる。選択されたチャネルの音量設定は、このチャネルで再生される音符が聞こえないように、ゼロに設定することができる。これによって、このチャネルの音符情報は、発光体の点灯のために排他的に使用することができ、より大きな柔軟性を作曲者に提供する。当然、ゼロではない音量設定のチャネル、すなわち、音符が聞こえるチャネルにおいてその音符を使用することも可能である。
【００６７】
マッピング情報は様々な方式をとることができる。一実施態様によれば、単純なルックアップテーブルが使用される。使用するデータを少なくするために、自身の引数が音符番号を含む関数を使用することが好ましい。第１のパラメータは音符番号に加算または減算されることができ、その結果は、関数の第２のパラメータで整数除算および／またはモジュロ除算されることができる。パラメータは、ユーザーまたは工場設定とすることができる。パラメータは、利用可能な発光位置の数および色の数のそれぞれに対応する利用可能な音符数（１２８）が確保されるように選択しなければならない。
【００６８】
上述の携帯電話のための発光位置の数は、周辺の発光体７．１乃至７．６に対して６つである。
【００６９】
発光体７．１乃至７．６の位置マッピングに対する適切な関数の例を以下に示す。
（音符番号−パラメータ１）／パラメータ２％製品固有のパラメータ
ここで、パラメータ１＝３６、パラメータ２＝１２であり、製品固有のパラメータは６である。
【００７０】
関数内の記号「／」は整数除算を表し、関数内の記号「％」はモジュロ除算を表す。
【００７１】
製品固有のパラメータは工場出荷時の設定であり、作曲者やユーザーが変更することはできない。パラメータ１および２は、音楽に対応させるために、所望の発光効果が得られるように作曲者が変更することができる。
【００７２】
発光体７．１乃至７．６の位置マッピングに対する適切な関数の他の例を以下に示す。
（音符番号−パラメータ１）％パラメータ２％製品固有のパラメータ、
および、
パラメータ１％製品固有のパラメータ。
【００７３】
ランダムな位置を音符イベントいずれかに割り当てることも可能である。
【００７４】
上述の携帯電話のための色の数は、周辺発光体７．１乃至７．６に対して３つである。
【００７５】
発光体７．１乃至７．６の色マッピングに対する適切な関数の例を以下に示す。
（音符番号−パラメータ１）／パラメータ２％製品の色数
【００７６】
パラメータ１および２は、ユーザーまたは作曲者によって選択することができるが、関数は、利用可能な音符数を利用可能な発光色の数に減じるように選択しなければならない。
【００７７】
色マッピングに対する他の有用な関数を以下に示す。
（音符番号−パラメータ１）％パラメータ２％製品の色数
パラメータ１％製品の色数、
Rand Common、および、
Rand Single
【００７８】
１つ以上の指定先（例、全ての発光体）を含む指定先パターンの中で、全ての指定先（Ｒａｎｄ  Ｃｏｍｍｏｎ）に対して１つの色を選択するか、または個々の指定先にランダムに選択した色（Ｒａｎｄ  Ｓｉｎｇｌｅ）を与えることが可能である。
【００７９】
輝度マッピングに使用することができる機能を以下に示す。
速度、
パラメータ１、
輝度１００％、
Rand Common、および、
Rand Single
【００８０】
好適な実施態様によれば、フラッシュ光およびカメラ用フラッシュは、発光体コントローラ１０２によっても制御される。カメラ用フラッシュは、したがって、ストロボスコープ効果を得るために使用することができる。
【００８１】
図６．１乃至６．４は、ディスプレイ３上のメニューのスクリーンショットを示す。図６．１は、図１のアイドル状態から左側のソフトキー１０を押してメニュー構成を入力した後の表示を示す。ディスプレイは、無限ループタイプのスクロール可能なメニュー項目リストのうちのいくつかのメニュー項目を示す。メニュー項目の１つである「ギャラリー」を選択すると、図６．２のような画面が表示される。
【００８２】
ディスプレイは現在、無限ループタイプのスクロール可能なリスト内の「ギャラリー」のサブメニュー項目のうちのいくつかを示している。サブメニュー項目の「フォルダー閲覧」を選択すると、図６．３のような画面が表示される。ここでユーザーは、異なるフォルダから選択することができる。「トーン」フォルダを選択して左側のソフトキー１０を押すと、図６．４に示されるように、「トーン」フォルダに保存されている音楽データファイルの名前がスクロール可能にリスト表示される。ナビゲーションキー１１および左側のソフトキー１０「オプション」を使用して特定の音楽データファイルを選択することができ、画面は、選択した音楽データ（ＳＰ−ＭＩＤＩ）ファイルを処理するためのオプションをリスト表示する、図６．５のスクリーンショットに変化する。オプションには、ファイルのオープン（すなわち、ファイルの再生）、削除、移動、またはファイル名の変更、および発光効果の編集が含まれる。「発光効果」メニュー項目を選択すると、選択したＭＩＤＩファイルの音符の再生に関連する発光体の点灯を作成、編集、および／または削除するためのアプリケーションが実行される。
【００８３】
発光効果エディタの起動画面を図７．１に示す。発光効果エディタは、以下の選択可能なメニュー項目のスクロール可能なリストを表示する。「ソース」、「指定先」、「モード」、「指定マッピング」、「色マッピング」、「輝度マッピング」、および、「保存」。
【００８４】
ユーザーが、メニュー項目の「ソース」を選択すると、画面は、図７．２の状態に変化し、利用可能なチャネルが選択可能なメニュー項目としてリスト表示される。ユーザーは、これで所望のチャネルを選択して、発光体の点灯に使用される音符オンおよび音符オフイベントのソースとして使用することができる。
【００８５】
ユーザーが、図７．１に示される状態で「指定先」を選択すると、画面は、図７．３の状態に変化し、利用可能な発光体群が選択可能なメニュー項目としてリスト表示される。これによってユーザーは、「前面」、「カメラ用フラッシュ」、「フラッシュ光」、または「バックライト」などの使用する発光体群を選択することができる。
【００８６】
ユーザーが、図７．１に示される状態で「モード」を選択すると、画面は、図７．４の状態に変化し、利用可能なモードが選択可能なメニュー項目としてリスト表示される。モードは、認識可能パターンでの単一の発光体の点灯または発光体群の点灯の選択に関連する。ユーザーは、これで、例えば、特定の位置にある単一の発光体の点灯のための「位置」、水平線に沿って配置される発光体群の点灯のための「水平」、垂直線に沿って配置される発光体群の点灯のための「垂直」、および同心リングに配置された発光体群の点灯のための「同心リング」などの所望の点灯モードを選択することができる。
【００８７】
ユーザーが、図７．１に示される状態で「指定先マッピング」を選択すると、画面は、図７．５の状態に変化し、利用可能な位置／マッピング機能が選択可能なメニュー項目としてリスト表示される。リストには異なる機能が含まれ、音符番号を引数として使用する機能や、単に複数の発光体を全ての位置で点灯させたり、１つの発光体をランダムな位置で点灯させる機能がある。ユーザーが変更できるパラメータを含む機能を選択すると、新しい画面（図示せず）が表示され、ユーザーは、利用可能なパラメータ（Ｐ１、Ｐ２）を変更することができる。この機能は、曲中の音符の範囲を利用可能な発光位置の数にしなければならないので、ルーチンは、ユーザーがこの基準を満たさないパラメータに対する値を選択できないようにする。
【００８８】
ユーザーが、図７．１に示される状態で「色マッピング」を選択すると、画面は、図７．６の状態に変化し、利用可能な色マッピング機能が選択可能なメニュー項目としてリスト表示される。リストには異なる機能が含まれ、音符番号を引数として使用する機能や、単に複数の発光体を全ての色で点灯させたり、１つの発光体をランダムな色で点灯させる機能がある。ユーザーが変更できるパラメータを含む機能を選択すると、新しい画面（図示せず）が表示され、ユーザーは、利用可能なパラメータ（Ｐ１、Ｐ２）を変更することができる。この機能は、曲中の音符の範囲を利用可能な色の数に減じなければならないので、ルーチンは、ユーザーがこの基準を満たさないパラメータＰ１およびＰ２に対する値を選択できないようにする。
【００８９】
ユーザーが、図７．１に示される状態で「輝度マッピング」を選択すると、画面は、図７．７の状態に変化し、利用可能な輝度マッピング機能が選択可能なメニュー項目としてリスト表示される。リストには異なる機能が含まれ、音符に関連する速度を引数として使用する機能や、１２８の一様に分配されたインクリメンタル値の範囲から予め選択した輝度に基づいて単に発光体を点灯させる機能がある。同様に、ランダムな機能も選択することができる。
【００９０】
画面７．２乃至７．７に示される状態で、右側のソフトキー「戻る」を押すことによって、図７．１に示される状態に戻ることができる。
【００９１】
ユーザーは、発光構成の作成／編集を終えると、図７．１に示される「保存」メニューのオプションを使用して、新しいマッピングを保存することができ、右側のソフトキー１０「終了」を押すと発光構成アプリケーションが閉じられる。画面は、図６．５に示される状態に変化し、これでメニュー項目「開く」を選択することによって選択した曲を新しい発光構成で再生することができる。
【００９２】
更なる実施態様における携帯電話１はまた、ユーザーが全てのタイプのＭＩＤＩメッセージおよびタイミング情報（図示せず）を作成および編集、および／または削除することを可能にするエディタアプリケーションも有する。
【００９３】
図８は、そこで実行するＭＩＤＩエディタを有するＰＣまたは同様のコンピュータ端末のスクリーンショットを示す。ＭＩＤＩエディタによって、ユーザーは、ＭＩＤＩファイルを構成、記録、および再生することができる。ＭＩＤＩ再生機能は、コンピュータをシーケンサに変えるソフトウェアプログラムである。コンピュータにインストールされたサウンドカードによって、シーケンサは、外部ＭＩＤＩサウンドモジュールをも必要とせずに、演奏を再生することができる（現在大部分のサウンドカードが、通常ウェーブテーブルシンセサイザである内臓の多重音色汎用ＭＩＤＩモジュールを備えているので、シーケンサがサウンドカードのドライバに出力するＭＩＤＩメッセージを認識および適切に「再生」できる）。
【００９４】
ＭＩＤＩエディタは、ＭＩＤＩファイルの編集および作成に使用する項目を有する複数のフィールドを備えたウィンドウ２０２を表示する。フィールド２０８は、トラックの概要、および該トラックに関連付けられた名前、楽器、機器、チャネル、および音量を示す。フィールド２１０は、各トラックに対して再生される音符を示す。フィールド２１２は、再生、録音、一時停止、早送り、および巻き戻し機能を起動させるための一連のボタンを含む。これら全ての特徴は、従来のものであり、当業者に既知であるので、詳細は説明しない。
【００９５】
従来のＭＩＤＩエディタ用のプラグインプログラムは、携帯電話上の発光体の点灯をエミュレートする第２のウィンドウ２２０を表示する。このプラグインは、上述のソフトウェア疑似復号器、発光体コントローラ、および発光構成データベースを含む。発光構成メッセージを含むＭＩＤＩファイルをＭＩＤＩエディタで再生する場合、プラグインプログラムは、ウィンドウ２２０内のエミュレートされた携帯電話上の発光体を点灯する。したがって、発光効果を有するＭＩＤＩファイルは、最初にＭＩＤＩファイルを携帯電話１にダウンロードする必要なく、試験することができる。携帯電話エミュレーションプログラムは、従来のＭＩＤＩエディタプログラムにプラグインする必要がなく、また仮想音楽スタジオとも称されるＭＩＤＩエディタなどの統合部分とすることができる。
【００９６】
ウィンドウ２０２はまた、発光構成メッセージエディタアプリケーションを開くためのボタン２１４を含む。
【００９７】
図９は、発光構成メッセージエディタアプリケーションによってＰＣの画面上に表示されるウィンドウ２３０を示す。該ウィンドウは、「ソース」フィールド２３２、「指定先」フィールド２３４、「マッピング機能」フィールド２３６、および「結果」フィールド２４０を含む。「ソース」フィールド２３２は、ユーザーが、チャネル番号を入力することができるチャネル選択ボックス、およびユーザーが、全ての音符番号または個々の音符番号を選択することができる音符選択用のプルダウンメニューを含む。「単一の音符番号」を選択した場合には、特定の音符番号を「Ｐａｒａｍ」フィールドに数値として入力しなければならない。
【００９８】
「指定先」フィールド２３４は、ユーザーが、カバーライト７．１乃至７．６、キーボードライト４、カメラ用フラッシュ１７、またはバックライト８などの点灯させられる発光体群を選択することができる、指定先のプルダウンメニュー２３３を含む。
【００９９】
「指定先」フィールドはまた、ユーザーが、例えば以下のオプション：発光位置、自動パターン１：水平線、自動パターン２：垂直線、自動パターン３：リング（同心円状）からマッピングモード選択することができる、プルダウンメニュー２３５（図１０）も含む。「位置」を選択した場合、音符は、単一の発光体位置にマッピングされる。パターンを選択すると、選択したパターンの形態で全ての発光体群が同時に点灯される。
【０１００】
「マッピング機能」フィールド２３６は、ポップアップウィンドウ２４１（図１１）を起動させる「指定先マッピング」ボタンを含む。ポップアップウィンドウ２４１は、マッピング機能の指定先範囲、パラメータ１、およびパラメータ２に数値を入力するための３つのボックスを含む。マッピング機能は、プルダウンメニュー２３７（図１２）において選択される。
【０１０１】
マッピング機能フィールド２３６は、ポップアップウィンドウ２４３（図１３）を起動させる「色マッピング」ボタンを含む。ポップアップウィンドウ２４１は、マッピング機能の色範囲、パラメータ１、およびパラメータ２に数値を入力するための３つのボックスを含む。マッピング機能は、ボタン２４５を有するプルダウンメニュー（図示せず）において選択される。
【０１０２】
マッピング機能フィールド２３６はまた、上述の輝度マッピングのための機能およびパラメータを選択することができるポップアップウィンドウ（図示せず）を起動させる、「輝度マッピング」ボタンも含む。
【０１０３】
発光構成メッセージエディタアプリケーションはまた、コンピュータ端末の画面上にウィンドウ２５０「携帯電話の視覚化」も表示する（図１４）。視覚化ウィンドウ２５０は、６つのフィールド（発光位置と同じ数）を含み、各フィールドは、スクロール可能な項目リストを含み、１つの項目が個々のＭＩＤＩ音符番号に対応する（また、音楽的表記がそこに表示される）。各項目は、音符がマッピングされる色で表示される。
図１４では、赤色、緑色、および黄色の３つの色が、３つの異なるグレースケールレベルで表されている。視覚化ウィンドウは、したがって、音符がマッピングされ、発光構成メッセージに対して作曲者が所望する設定の検索を援助するために、発光体の位置および色を示す。
【０１０４】
「結果」フィールドは、発光構成メッセージのコンテンツを表示し、発光構成メッセージをそれぞれのＭＩＤＩファイルに保存するための「保存」ボタン、および発光構成エディタプログラムを終了するための「終了」ボタンを含む。
【０１０５】
図１５は、その画面に表示されるＭＩＤＩエディタウィンドウ２０２および携帯電話エミュレーションウィンドウ２２０を有する、ラップトップ形態のＰＣを示す。
【０１０６】
図１６は、その画面に表示されるＭＩＤＩエディタウィンドウ２０２を有する、ラップトップ形態のＰＣ２０９を示す。携帯電話１は、それぞれのシリアルバスおよびシリアルデータケーブル２１１を経てＰＣに接続される。ＭＩＤＩエディタプログラムまたはプラグインプログラム、および携帯電話１は、発光構成を含むＭＩＤＩファイルがラップトップ２０９上のＭＩＤＩエディタで再生された時に、携帯電話１の発光体が点灯されるように構成される。完成したＭＩＤＩシーケンスは、シリアルケーブルを経て、ＭＩＤＩシーケンスを復号器１１５に渡すプロセッサユニット１０１に送信され、次いで、メモリ１６０に保存されたＭＩＤＩファイルを再生するために、曲の再生および発光体の点灯ならびにバイブレーションユニットの起動のプロシージャが、上述のように発生する。
【０１０７】
本発明は、例証のために詳述したが、当該の詳細は単にその目的のためのものであり、当業者は、本発明の範囲から逸脱することなく変更できると理解されたい。
【０１０８】
本発明は、ＭＩＤＩフォーマットを参照して説明されているが、音発生器および受信器を制御および操作するための同じタイプのデータ情報を伝達するデータフォーマットを使用してもよい。当該のフォーマットの例には、オープンサウンドコントロール（ＯＳＣ）、ＺＩＰＩ、ＧＳ（ローランド社のＭＩＤＩフォーマット）、およびＸＭＦ（ｅＸｔｅｎｓｉｂｌｅ  Ｍｕｓｉｃ  Ｆｏｒｍａｔ、拡張可能音楽フォーマット）が挙げられる。
【０１０９】
したがって、本機器および方法の好適な実施態様は、それらが開発された環境を参照して説明されているが、それらは単に本発明の原理を例証したにすぎない。他の実施態様および構成は、添付の請求の範囲から逸脱することなく案出することができる。
【図面の簡単な説明】
【０１１０】
【図１】本発明による移動通信端末の正面図である。
【図２】フロントカバーを取り除いた図１の端末を示す。
【図３】図１の端末の背面図である。
【図４】本発明による携帯電話の一般的なアーキテクチャを示すブロック図である。
【図５】端末の音楽および発光体再生部分のブロック図である。
【図６】着信音の処理に関する移動通信端末のスクリーンショットを示す。
【図７】発光構成メッセージの処理に関する移動通信端末のスクリーンショットを示す。
【図８】ＭＩＤＩエディタプログラムを有するコンピュータ端末のスクリーンショットを示す。
【図１０】発光構成メッセージエディタのスクリーンショットを示す。
【図１１】発光構成メッセージエディタのスクリーンショットを示す。
【図１２】発光構成メッセージエディタのスクリーンショットを示す。
【図１３】発光構成メッセージエディタのスクリーンショットを示す。
【図１４】発光構成メッセージエディタのスクリーンショットを示す。
【図１５】本発明とともに使用するコンピュータ端末を示す。
【図１６】図１５のコンピュータ端末に接続された移動通信端末を示す。
【図１】
2007520127.tif 000003
【図２】
2007520127.tif 000004
【図３】
2007520127.tif 000005
【図４】
2007520127.tif 000006
【図５】
2007520127.tif 000007
【図６】
2007520127.tif 000008
【図７（１）】
2007520127.tif 000009
【図７（２）】
2007520127.tif 000010
【図９】
2007520127.tif 000011
【図１０】
2007520127.tif 000012
【図１１】
2007520127.tif 000013
【図１２】
2007520127.tif 000014
【図１３】
2007520127.tif 000015
【図１５】
2007520127.tif 000016
【図１６】
2007520127.tif 000017
【図８】
2007520127.tif 000018
【図１４】
2007520127.tif 000019
【国際調査報告】
2007520127.tif 000020
2007520127.tif 000021
2007520127.tif 000022